(57)【要約】【課題】被乾燥物自体の実際の状態を正確に把握し、該被乾燥物を確実に乾燥させる。【解決手段】空気調和機（20）は、対象空間（RM）に空気を送る。センサ（40a〜40d）は、乾燥指標を検知する。乾燥指標とは、対象空間（RM）に位置する洗濯物（12a〜12d）の乾燥度合いを表す指標である。空調動作設定部（63）及び制御部（25）は、センサ（40a〜40d）の検知結果に基づいて、空気調和機（20）から送られる空気の風量及び風向の少なくとも１つを制御する。特に、センサ（40a〜40d）は、粘着剤が塗布された粘着層（42）を介して洗濯物（12a〜12d）に貼着されている。【選択図】図１
2017104384.tif 000002
【特許請求の範囲】
【請求項１】
対象空間（RM）に空気を送る送風機（20）と、
上記対象空間（RM）に位置する被乾燥物（12a〜12d）の乾燥度合いを表す乾燥指標を検知する検知部（40a〜40d）と、
上記検知部（40a〜40d）の検知結果に基づいて、上記送風機（20）から送られる空気の風量及び風向の少なくとも１つを制御する制御部（63,25）と
を備え、
上記検知部（40a〜40d）は、粘着剤が塗布された粘着層（42）を介して上記被乾燥物（12a〜12d）に貼着されている
ことを特徴とする送風システム。
【請求項２】
請求項１において、
上記粘着層（42）には、上記被乾燥物（12a〜12d）から上記検知部（40a〜40d）を剥離及び上記被乾燥物（12a〜12d）への上記検知部（40a〜40d）の貼着を繰り返すことが可能な上記粘着剤が塗布されている
ことを特徴とする送風システム。
【請求項３】
請求項１または請求項２において、
上記検知部（40a〜40d）は、上記被乾燥物（12a〜12d）付近の温度及び湿度の少なくとも１つを上記乾燥指標として検知するとともに、上記対象空間（RM）における上記被乾燥物（12a〜12d）の位置を検知する
ことを特徴とする送風システム。
【請求項４】
請求項３において、
上記検知部（40a〜40d）の検知結果に基づいて、上記対象空間（RM）のうち、上記被乾燥物（12a〜12d）が乾燥するのに要する時間が所定時間よりも短くなる位置を推定する位置推定部（65）と、
推定された上記位置を報知する位置報知部（80）と
を更に備える
ことを特徴とする送風システム。
【請求項５】
請求項１から請求項４のいずれかにおいて、
上記検知部（40a〜40d）の検知結果に基づいて、上記被乾燥物（12a〜12d）の乾燥が完了する時間を推定する時間推定部（66）と、
推定された上記時間を報知する時間報知部（80）と
を更に備える
ことを特徴とする送風システム。
【請求項６】
請求項１から請求項５のいずれか１つにおいて、
上記被乾燥物（12a〜12d）の乾燥度合いを報知する乾燥度合報知部（80）と
を更に備える
ことを特徴とする送風システム。
【発明の詳細な説明】
【技術分野】
【０００１】
本発明は、送風システムに関するものである。
【背景技術】
【０００２】
近年、天候条件のみならず、集合住宅である等の環境条件により、洗濯した衣類（洗濯物。以下、被乾燥物）を室内に干して乾燥させる人が増加している。これに対し、特許文献１に示すように、被乾燥物を乾燥させるモードを搭載した空気調和機が存在する。
【先行技術文献】
【特許文献】
【０００３】
【特許文献１】特開２００６−９７９１９号公報
【発明の概要】
【発明が解決しようとする課題】
【０００４】
特許文献１では、上記モード開始の際、外気温度及び対象空間内の輻射温度に基づいて、暖房運転及び除湿運転のいずれを行うかが判断される。対象空間内の輻射温度を検知するセンサは、空気調和機の本体側に設けられている。
【０００５】
しかしながら、被乾燥物によって、被乾燥物の乾燥速度は異なる。特許文献１では、運転種類の判断において対象空間内全体の輻射温度が用いられるため、各被乾燥物自体の実際の状態を正確に把握することは困難である。すると、例えば対象空間内に複数の被乾燥物が干された際、一部の被乾燥物は乾燥が完了したものの、他方の被乾燥物は依然として湿っている可能性がある。このような場合、湿っている被乾燥物には菌が繁殖したり傷んでしまったりすることもある。そのため、ユーザは、湿っている被乾燥物を再度乾燥さなければならず、手間がかかる。
【０００６】
本発明は、かかる点に鑑みてなされたものであり、その目的は、被乾燥物自体の実際の状態を正確に把握し、該被乾燥物を確実に乾燥させることである。
【課題を解決するための手段】
【０００７】
第１の発明は、対象空間（RM）に空気を送る送風機（20）と、上記対象空間（RM）に位置する被乾燥物（12a〜12d）の乾燥度合いを表す乾燥指標を検知する検知部（40a〜40d）と、上記検知部（40a〜40d）の検知結果に基づいて、上記送風機（20）から送られる空気の風量及び風向の少なくとも１つを制御する制御部（63,25）とを備え、上記検知部（40a〜40d）は、粘着剤が塗布された粘着層（42）を介して上記被乾燥物（12a〜12d）に貼着されていることを特徴とする送風システムである。
【０００８】
ここでは、被乾燥物（12a〜12d）には、該被乾燥物（12a〜12d）の乾燥度合いを表す乾燥指標を検知するための検知部（40a〜40d）が貼着される。送風機（20）から対象空間（RM）へと送られる空気の風向及び風量の少なくとも１つは、検知部（40a〜40d）が検知した乾燥指標に基づいて制御される。このように、検知部（40a〜40d）は、乾燥させるべき被乾燥物（12a〜12d）自体に貼着されるため、制御部（63,25）は、その時々の被乾燥物（12a〜12d）そのものの乾燥度合いを正確に把握し、把握した乾燥度合いに基づいて被乾燥物（12a〜12d）を確実に乾燥させることができる。
【０００９】
第２の発明は、第１の発明において、上記粘着層（42）には、上記被乾燥物（12a〜12d）から上記検知部（40a〜40d）を剥離及び上記被乾燥物（12a〜12d）への上記検知部（40a〜40d）の貼着を繰り返すことが可能な上記粘着剤が塗布されていることを特徴とする送風システムである。
【００１０】
これにより、乾燥が完了した被乾燥物（12a〜12d）から検知部（40a〜40d）を剥がし、剥がした検知部（40a〜40d）を、乾燥が必要となった別の被乾燥物（12a〜12d）に貼り付けることができる。従って、検知部（40a〜40d）を何度でも有効活用することができる。
【００１１】
第３の発明は、第１の発明または第２の発明において、上記検知部（40a〜40d）は、上記被乾燥物（12a〜12d）付近の温度及び湿度の少なくとも１つを上記乾燥指標として検知するとともに、上記対象空間（RM）における上記被乾燥物（12a〜12d）の位置を検知することを特徴とする送風システムである。
【００１２】
被乾燥物（12a〜12d）付近の温度及び湿度の少なくとも１つが乾燥指標として検知されるため、被乾燥物（12a〜12d）の乾燥度合いは容易に把握される。特に、温度及び湿度の両方が乾燥指標として検知されることで、被乾燥物（12a〜12d）の乾燥度合いは、温度及び湿度の一方が乾燥指標として検知される場合に比してより正確に把握される。また、対象空間（RM）における被乾燥物（12a〜12d）の位置が更に検知されることにより、送風機（20）は、被乾燥物（12a〜12d）めがけて空気を送ることができる。
【００１３】
第４の発明は、第３の発明において、上記検知部（40a〜40d）の検知結果に基づいて、上記対象空間（RM）のうち、上記被乾燥物（12a〜12d）が乾燥するのに要する時間が所定時間よりも短くなる位置を推定する位置推定部（65）と、推定された上記位置を報知する位置報知部（80）とを更に備えることを特徴とする送風システムである。
【００１４】
これにより、送風システム（10）を利用するユーザは、対象空間（RM）のうち、被乾燥物（12a〜12d）の乾燥に適している位置を把握することができ、その位置に被乾燥物（12a〜12d）を配置させることができる。
【００１５】
第５の発明は、第１の発明から第４の発明のいずれか１つにおいて、上記検知部（40a〜40d）の検知結果に基づいて、上記被乾燥物（12a〜12d）の乾燥が完了する時間を推定する時間推定部（66）と、推定された上記時間を報知する時間報知部（80）とを更に備えることを特徴とする送風システムである。
【００１６】
これにより、送風システム（10）を利用するユーザは、被乾燥物（12a〜12d）の乾燥が完了する時間を乾燥前に把握することができる。
【００１７】
第６の発明は、第１の発明から第５の発明のいずれか１つにおいて、上記被乾燥物（12a〜12d）の乾燥度合いを報知する乾燥度合報知部（80）とを更に備えることを特徴とする送風システムである。
【００１８】
これにより、送風システム（10）を利用するユーザは、被乾燥物（12a〜12d）がどの程度乾燥している状態にあるのかを、リアルタイムで把握することができる。
【発明の効果】
【００１９】
本発明によれば、その時々の被乾燥物（12a〜12d）の乾燥度合いが正確に把握される。従って、送風システム（10）は、把握した乾燥度合いに基づいて被乾燥物（12a〜12d）を確実に乾燥させることができる。
【００２０】
また、上記第２の発明によれば、検知部（40a〜40d）を何度でも有効活用することができる。
【００２１】
また、上記第３の発明によれば、被乾燥物（12a〜12d）の乾燥度合いは容易または正確に把握される。更に、被乾燥物（12a〜12d）の位置が検知されることにより、送風機（20）は、被乾燥物（12a〜12d）めがけて空気を送ることができる。
【００２２】
また、上記第４の発明によれば、ユーザは、対象空間（RM）のうち、被乾燥物（12a〜12d）の乾燥に適している位置を把握することができ、その位置に被乾燥物（12a〜12d）を配置させることができる。
【００２３】
また、上記第５の発明によれば、ユーザは、被乾燥物（12a〜12d）の乾燥が完了する時間を乾燥前に把握することができる。
【００２４】
また、上記第６の発明によれば、ユーザは、被乾燥物（12a〜12d）がどの程度乾燥している状態にあるのかを、リアルタイムで把握することができる。
【図面の簡単な説明】
【００２５】
【図１】図１は、本実施形態に係る空調システムの概略を説明するための図である。
【図２】図２は、本実施形態に係る空調システムの構成を模式的に示すブロック図である。
【図３】図３は、洗濯物に貼着されたセンサの側面を模式的に示す図である。
【図４】図４は、センサに含まれる湿度検知部、温度検知部及び加速度検知部の各検知結果の経時的変化の一例を説明するための図である。
【図５】図５は、センサの各種検知結果がサーバの記憶部に格納されている状態を概念的に示す図である。
【図６】図６は、センサによる過去の各種検知結果を用いて得られた解析結果の一例を説明する図である。
【図７】図７は、理想の乾燥位置の表示画面例である。
【図８】図８は、推定された洗濯物の乾燥完了時間の表示画面例である。
【図９】図９は、現在の洗濯物の乾燥度合いの表示画面例である。
【図１０】図１０は、空調システムの動作を説明するためのフロー図である。
【発明を実施するための形態】
【００２６】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２７】
≪実施形態≫
＜概要＞
図１に示すように、本実施形態に係る空調システム（10）（送風システムに相当）は、室内等の対象空間（RM）に設置される。空調システム（10）は、空気調和機（20）（送風機に相当）、センサ（40a,40b,40c,40d,・・・）（検知部に相当）、サーバ（60）、及び情報端末（80）（位置報知部、時間報知部及び乾燥度合報知部に相当）を備える。
【００２８】
本実施形態の対象空間（RM）には、物干しスタンド（11）が設置され、該物干しスタンド（11）には、洗濯直後であって未だ乾燥していない洗濯物（12a,12b）が、ハンガーや洗濯バサミなどを用いて干されている。ハンガー及び洗濯バサミを用いて干すことはできないが洗濯直後の洗濯物（12c,12d）（例えば靴など）も、対象空間（RM）内に、置かれた状態にて干されている。
【００２９】
このような対象空間（RM）に対し、空調システム（10）は、対象空間（RM）に存在する洗濯物（12a〜12d）を被乾燥物とし、空気調和機（20）からの空気を被乾燥物に送ることで、被乾燥物を乾燥させる動作を行う。
【００３０】
特に、空調システム（10）のセンサ（40a〜40d）は、洗濯物（12a〜12d）それぞれに貼着されており、対応する洗濯物（12a〜12d）それぞれの乾燥度合いを検知する。それ故、空調システム（10）は、各洗濯物（12a〜12d）そのものの、その時々の乾燥度合いに応じた空気を各洗濯物（12a〜12d）に送ることができる。
【００３１】
また、本実施形態に係る空調システム（10）には、各洗濯物（12a〜12d）の乾燥に関する機能が複数搭載されているが、これらについては後述する。
【００３２】
＜構成＞
次に、空調システム（10）における空気調和機（20）、センサ（40a〜40d）、サーバ（60）及び情報端末（80）の各構成について説明する。
【００３３】
＜空気調和機＞
空気調和機（20）は、対象空間（RM）に空気を送るためのものであって、対象空間（RM）に設けられている。図２に示すように、空気調和機（20）は、空気調和機本体（21）と、湿度検知部（22）と、温度検知部（23）と、生体検知部（24）と、制御部（25）と、通信部（26）とを有する。
【００３４】
−空気調和機本体−
空気調和機本体（21）は、対象空間（RM）の空調運転を行う。空気調和機本体（21）は、例えば対象空間（RM）の壁面に設置されており対象空間（RM）内の吸い込み口及び吹き出し口が形成された室内ケーシング、対象空間（RM）内の空気を吸い込み口から室内ケーシング内に導入する室内ファン、導入された空気を熱交換させる室内熱交換器等を有する。
【００３５】
−湿度検知部及び温度検知部−
湿度検知部（22）は、対象空間（RM）の湿度を検知するセンサである。温度検知部（23）は、対象空間（RM）の温度を検知するセンサである。湿度検知部（22）及び温度検知部（23）は、例えば吸い込み口付近に設けられている。
【００３６】
−生体検知部−
生体検知部（24）は、対象空間（RM）における生体（人または動物）の存在の有無を検知するセンサである。生体検知部（24）は、空気調和機本体（21）における室内ケーシングの外表面に設けられており（図１参照）、例えば赤外線等を用いて、その時々の対象空間（RM）における生体の在及び不在を検知する赤外線センサで構成されている。
【００３７】
−制御部−
制御部（25）は、ＣＰＵ及びワークメモリ等で構成されている。制御部（25）は、空気調和機（20）が有する湿度検知部（22）、温度検知部（23）及び生体検知部（24）の検知結果等に応じて、空気調和機本体（21）が行う空調運転の制御を行う。具体的には、制御部（25）は、空調運転のオン及びオフの制御、室内ファンの回転数制御等を行う。
【００３８】
特に、制御部（25）は、洗濯物（12a〜12d）の乾燥動作の際、サーバ（60）から送られてきた指示及び設定に応じた空調運転の制御も行う。例えば、サーバ（60）から洗濯物（12a〜12d）の乾燥動作の開始指示がなされた場合、制御部（25）は、サーバ（60）から送られてきた設定（風向、風速、目標温度、運転種類等）に応じた運転を、空気調和機本体（21）に行わせる。また、サーバ（60）から洗濯物（12a〜12d）の乾燥動作の終了指示がなされた場合、制御部（25）は、対象空間（RM）の目標温度を、リモートコントローラ（図示せず）を介して設定されている運転種類及び設定温度等にて、空気調和機本体（21）に空調運転を行わせる。
【００３９】
−通信部−
通信部（26）は、空気調和機（20）がサーバ（60）と通信を行うための通信インターフェースである。通信部（26）がサーバ（60）に送信する情報としては、空気調和機（20）の識別情報である空気調和機ＩＤ、各種検知部（22,23,24）の検知結果等が挙げられる。通信部（26）がサーバ（60）から受信する情報としては、例えば洗濯物（12a〜12d）の乾燥動作の実行指示及び実行終了指示、当該運転における各種設定等が挙げられる。
【００４０】
−他の構成−
図示していないが、空気調和機（20）は記憶部を有する。記憶部には、空気調和機ＩＤ、各種検知部（22,23,24）の検知結果、空調運転に関する各種設定等が記憶されている。
【００４１】
＜センサ＞
センサ（40a〜40d）は、洗濯物（12a〜12d）それぞれの乾燥度合いを表す乾燥指標を検知するためのものであって、シール状の薄型且つ小型の電子デバイス機器である。
【００４２】
なお、本実施形態では、説明を簡単にするため、図１に示すように、洗濯物（12a〜12d）の数に応じたセンサ（40a〜40d）が複数用いられる場合を例に採る。そして、本実施形態では、複数のセンサ（40a〜40d）が、それぞれ同じ構成である場合を例に採る。
【００４３】
センサ（40a〜40d）は、図３に示すように、センサ本体（41）と、粘着層（42）とで構成されている。センサ本体（41）は、薄型の直方体状のセンサケーシング（41a）内部に、図２に示す湿度検知部（43）、温度検知部（44）、加速度検知部（45）、位置検知部（46）、臭気検知部（47）及び通信部（48）が収容されていることで構成される。粘着層（42）は、センサケーシング（41a）の一面に設けられている。粘着層（42）には、粘着剤が塗布されている。それ故、センサ（40a〜40d）は、当該粘着層（42）を介して洗濯物（12a〜12d）に直接貼着されることができる。
【００４４】
特に、上記粘着剤は、洗濯物（12a〜12d）からセンサ（40a〜40d）を剥離したり、再び洗濯物（12a〜12d）にセンサ（40a〜40d）を貼着したりすることを、繰り返し行うことができる素材によって構成されている。これにより、洗濯物（12a〜12d）の乾燥が完了した後、センサ（40a〜40d）を、当該洗濯物（12a〜12d）から剥がして別の洗濯物（12a〜12d）に貼着させることができる。しかも、粘着剤が繰り返し剥離及び貼着可能な素材であるため、センサ（40a〜40d）を剥がした後の洗濯物（12a〜12d）には、例えば洗濯バサミで挟んだ時のような跡がつきにくい。更に、例えば靴のように洗濯バサミで挟んだりハンガーにかけたりして乾かすことが困難な洗濯物（12a〜12d）や、シャツの裾及びズボンのベルト部分等のように特に乾燥しにくい箇所に対しても、センサ（40a〜40d）は貼着可能である。また、ユーザは、たとえ洗濯物（12a〜12d）の乾燥が完了したとしても、センサ（40a〜40d）を剥離させることなく、例えば当該洗濯物（12a〜12d）の裏側やポケット等の、外観からは視認しにくい箇所にセンサ（40a〜40d）を貼着させたままとすることもできる。
【００４５】
なお、センサ（40a〜40d）は、上述したにように比較的小型である。そのため、貼着箇所が乾燥しにくい等の、センサ（40a〜40d）の貼着による洗濯物（12a〜12d）の乾燥度合いへの影響は小さいと言える。
【００４６】
以下、センサケーシング（41a）内部に収容されている各機能部について説明する。
【００４７】
−湿度検知部、温度検知部及び加速度検知部−
湿度検知部（43）は、センサ（40a〜40d）が貼着された洗濯物（12a〜12d）付近の湿度を検知する。温度検知部（44）は、センサ（40a〜40d）が貼着された洗濯物（12a〜12d）付近の湿度を検知する。加速度検知部（45）は、センサ（40a〜40d）が貼着された洗濯物（12a〜12d）が空気調和機（20）からの空気によって揺れ動く際、当該洗濯物（12a〜12d）の加速度を検知する。
【００４８】
本実施形態では、上述した各検知部（43,44,45）の検知結果を、洗濯物（12a〜12d）の乾燥度合いを表す“乾燥指標”と呼称する。以下では、具体的な一例として図４を用いて、乾燥指標について説明する。
【００４９】
図４（ａ）に示すように、洗濯物（12a〜12d）が濡れていると、洗濯物（12a〜12d）付近の湿度は非常に高くなる（例えば１００％）。洗濯物（12a〜12d）の乾燥が完了するまで、洗濯物（12a〜12d）に含まれる水分は洗濯物（12a〜12d）付近の空気に蒸発し続け、洗濯物（12a〜12d）付近の湿度は非常に高い状態を保ったままとなる。洗濯物（12a〜12d）の乾燥が完了すると、洗濯物（12a〜12d）付近の湿度は低下する。従って、湿度検知部（43）の検知結果から、洗濯物（12a〜12d）が乾燥したか否かが把握可能である。
【００５０】
図４（ｂ）に示すように、洗濯物（12a〜12d）が濡れていると、洗濯物（12a〜12d）付近の温度は比較的低い。洗濯物（12a〜12d）が乾くまでは、潜熱変化により洗濯物（12a〜12d）付近の温度は変化しない（上昇しない）が、洗濯物（12a〜12d）の乾燥が完了すると、顕熱変化により洗濯物（12a〜12d）付近の温度は上昇し出す。従って、温度検知部（44）の検知結果から、洗濯物（12a〜12d）が乾燥したか否かが把握可能である。
【００５１】
また、洗濯物（12a〜12d）に含まれる水分量が多い程、洗濯物（12a〜12d）の質量は大きい。空気調和機（20）から送られる空気の風量及び風向が一定だと仮定すると、洗濯物（12a〜12d）の質量によって、当該空気により当該洗濯物（12a〜12d）がどの程度揺れ動くかは異なってくる。具体的に、図４（ｃ）に示すように、洗濯物（12a〜12d）に含まれる水分量が多く洗濯物（12a〜12d）が重い程、空気調和機（20）からの空気により洗濯物（12a〜12d）が揺れ動く量は小さいため、加速度検知部（45）の検知結果は比較的小さい。洗濯物（12a〜12d）に含まれる水分量が少なく洗濯物（12a〜12d）が軽い程、空気調和機（20）からの空気により洗濯物（12a〜12d）が揺れ動く量は大きくなるため、加速度検知部（45）の検知結果は比較的大きくなっていく。従って、加速度検知部（45）の検知結果から、洗濯物（12a〜12d）の乾燥度合いがどの程度か、つまりはどの程度乾燥しているか（どの程度濡れているか）が把握可能である。
【００５２】
このように、各検知部（43,44,45）の検知結果を用いることで、センサ（40a〜40d）が貼着された各洗濯物（12a〜12d）そのものの乾燥度合いの把握が可能となる。それ故、本実施形態では、各検知部（43,44,45）の検知結果を、洗濯物（12a〜12d）の乾燥度合いを表す乾燥指標と呼称する。
【００５３】
なお、加速度検知部（45）の検知結果からは、空気調和機（20）からの空気が洗濯物（12a〜12d）に確実に届いているかどうかを把握することもできる。
【００５４】
−位置検知部−
位置検知部（46）は、センサ（40a〜40d）が貼着された洗濯物（12a〜12d）の、対象空間（RM）における位置を検知する。位置検知部（46）の検知結果は、個々の洗濯物（12a〜12d）の状態に適した空気を空気調和機（20）が該洗濯物（12a〜12d）めがけて送るため等に利用される。
【００５５】
本実施形態に係る位置検知部（46）の検知結果は、平面及び高さの三次元における位置情報を表すものとする。
【００５６】
なお、位置検知部（46）は、対象空間（RM）における洗濯物（12a〜12d）の位置が精度良く検知できれば良く、その構成及び位置検知の手法は限定されない。例えば、位置検知部（46）は、ＧＰＳを利用した構成であっても良いし、Bluetooth（登録商標）、ビーコン、超音波、Wi-Fi（登録商標）を利用した構成であってもよい。
【００５７】
−臭気検知部−
臭気検知部（47）は、センサ（40a〜40d）が貼着された洗濯物（12a〜12d）の臭気を検知する。例えば、洗濯物（12a〜12d）が長時間濡れた状態であると、洗濯物（12a〜12d）には菌が繁殖し、臭気が生じる。そこで、臭気検知部（47）の検知結果から、個々の洗濯物（12a〜12d）に菌が繁殖しているかどうかを把握することができる。
【００５８】
−通信部−
通信部（48）は、サーバ（60）との通信を行うための通信インターフェースである。通信部（48）がサーバ（60）に送信する情報としては、センサ（40a〜40d）の識別情報であるセンサＩＤ、乾燥指標を含む各検知部（43,44,45,46,47）の検知結果（以下、各種検知結果）等が挙げられる。通信部（48）がサーバ（60）から受信する情報としては、応答要求等が挙げられる。
【００５９】
＜サーバ＞
サーバ（60）は、空気調和機（20）に関する各種情報を管理する。特に、本実施形態に係るサーバ（60）は、センサ（40a〜40d）から取得した乾燥指標を含む各種検知結果に基づいて、個々の洗濯物（12a〜12d）の乾燥動作に関する処理を実行する。例えばサーバ（60）は、個々の洗濯物（12a〜12d）の乾燥度合いの判断処理、個々の洗濯物（12a〜12d）に適した空気が洗濯物（12a〜12d）に送られるように、空気調和機（20）が送る空気の風量等の設定処理を行う。更に、サーバ（60）は、これまでの乾燥動作に関する乾燥指標（各検知部（43,44,45）の検知結果）及び洗濯物（12a〜12d）の位置情報等を解析して、洗濯物（12a〜12d）の乾燥終了時間を推定する処理、対象空間（RM）の中で洗濯物（12a〜12d）の乾燥に適した位置を推定する処理等を実行する。
【００６０】
このようなサーバ（60）は、図２に示すように、記憶部（61）と、乾燥度合判定部（62）と、空調動作設定部（63）と、データ解析部（64）と、乾燥位置推定部（65）（位置推定部に相当）と、完了時間推定部（66）（時間推定部に相当）と、通信部（67）とを有する。このうち、乾燥度合判定部（62）、空調動作設定部（63）、データ解析部（64）、乾燥位置推定部（65）及び完了時間推定部（66）は、ＣＰＵがプログラムを読み出して実行することで実現する機能と言える。
【００６１】
なお、本実施形態に係るサーバ（60）の空調動作設定部（63）及び空気調和機（20）の制御部（25）は、「制御部」に相当する。
【００６２】
−記憶部−
記憶部（61）は、例えばハードディスクやフラッシュメモリで構成されており、各種プログラムを記憶している。記憶部（61）は、プログラムの格納領域とは別の領域に、例えば図５に示すように、センサＩＤ、時刻情報、位置情報、湿度情報、温度情報、加速度情報及び臭気情報を関連づけて記憶する。位置情報、湿度情報、温度情報、加速度情報及び臭気情報は、各種検知結果に相当する。
【００６３】
ここで、時刻情報は、センサＩＤが示すセンサ（40a〜40d）が、洗濯物（12a〜12d）に関する各種検知結果（湿度等）をセンシングした時刻を表す。位置情報は、センサＩＤが示すセンサ（40a〜40d）の位置検知部（46）の検知結果、即ち対象空間（RM）における洗濯物（12a〜12d）の位置を表す。湿度情報は、センサＩＤが示すセンサ（40a〜40d）の湿度検知部（43）の検知結果、即ち洗濯物（12a〜12d）付近の湿度を表す。温度情報は、センサＩＤが示すセンサ（40a〜40d）の温度検知部（44）の検知結果、即ち洗濯物（12a〜12d）付近の温度を表す。加速度情報は、センサＩＤが示すセンサ（40a〜40d）の加速度検知部（45）の検知結果、即ち洗濯物（12a〜12d）が揺れ動く加速度を表す。臭気情報は、センサＩＤが示すセンサ（40a〜40d）の臭気検知部（47）の検知結果、即ち洗濯物（12a〜12d）の臭気を表す。
【００６４】
各センサ（40a〜40d）は、貼着された洗濯物（12a〜12d）に関する各種検知結果を、時々刻々とセンシングし、サーバ（60）に送信してくる。それ故、時刻情報、位置情報、湿度情報、温度情報、加速度情報及び臭気情報は、１つのセンサＩＤに対して複数対応づけて記憶されることが好ましい。
【００６５】
更に、記憶部（61）は、乾燥度合判定部（62）、空調動作設定部（63）、データ解析部（64）、乾燥位置推定部（65）及び完了時間推定部（66）それぞれの処理結果も記憶する。また、記憶部（61）は、図５の各種データを、天候情報、季節情報、地域の環境情報、洗濯物（12a〜12d）の素材情報と関連づけて記憶してもよい。天候情報、季節情報、地域の環境情報、洗濯物（12a〜12d）の素材情報は、ユーザによって情報端末（80）等を介して入力されてもよいし、天候情報、季節情報及び地域の環境情報は、サーバ（60）がインターネット（図示せず）を介して外部から自動で取得したものであってもよい。
【００６６】
−乾燥度合判定部−
乾燥度合判定部（62）は、対象空間（RM）内に干された洗濯物（12a〜12d）それぞれの乾燥度合いを、センサ（40a〜40d）から送られてきた各種検知結果に基づいて判定する。
【００６７】
具体的に、各検知部（43,44,45）の検知結果は、既に述べた図４に示したような特性を有するため、乾燥度合判定部（62）は、洗濯物（12a〜12d）それぞれに貼着されたセンサ（40a〜40d）から次々に送られてくる乾燥指標（即ち、各検知部（43,44,45）の検知結果）を総合的に判断することで、各洗濯物（12a〜12d）自体の現在の乾燥度合いを把握することができる。乾燥度合判定部（62）は、把握した結果を、対応するセンサ（40a〜40d）からの位置情報と対応づける。
【００６８】
なお、このような処理を、乾燥度合判定部（62）は、センサ（40a〜40d）が乾燥指標を送ってくる度に行っても良いし、所定時間毎（例えば５分毎）に行ってもよい。当該所定時間は、固定値であってもよいし、適宜変更される値であってもよい。
【００６９】
また、本実施形態に係る乾燥度合判定部（62）は、各センサ（40a〜40d）から送られてきた臭気検知部（47）の検知結果を用いて、洗濯物（12a〜12d）における菌の繁殖状況を判定する。具体的に、乾燥度合判定部（62）は、各センサ（40a〜40d）の臭気検知部（47）の検知結果が所定値を超えている場合、対応する洗濯物（12a〜12d）において菌が繁殖していると判定する。乾燥度合判定部（62）は、当該判定結果を、センサ（40a〜40d）からの位置情報と対応づける。位置情報と対応づけられた判定結果は、情報端末（80）に送られる。
【００７０】
上述した乾燥度合判定部（62）による判定結果（乾燥度合い及び菌の繁殖状況）は、記憶部（61）に記憶されると共に、情報端末（80）に送信される。
【００７１】
−空調動作設定部−
空調動作設定部（63）は、センサ（40a〜40d）の検知結果に基づいて、空気調和機（20）から送られる空気の風量及び風向の少なくとも１つ等を設定する。具体的に、空調動作設定部（63）は、上記乾燥度合判定部（62）の判定結果である各洗濯物（12a〜12d）の現在の乾燥度合いと、センサ（40a〜40d）の位置検知部（46）の検知結果とから、個々の洗濯物（12a〜12d）が乾燥するために必要な風量及び風向の少なくとも１つと、温度及び湿度の少なくとも１つとを設定する。
【００７２】
例えば、全く乾いていない状態の洗濯物（12a〜12d）に対しては風量「最大」の空気が供給され、濡れてはいるが他の洗濯物（12a〜12d）よりは揺れ動いている洗濯物（12a〜12d）に対しては風量「中」の空気が供給される。洗濯物（12a〜12d）の乾燥度合いに対する風量及び風向が予めテーブルとして決定されており、空調動作設定部（63）は、現在の乾燥度合いを当該テーブルに当てはめることで、風量及び風向の少なくとも１つを設定してもよい。
【００７３】
更に、空調動作設定部（63）は、季節及び天候に応じて、空気調和機（20）から送られる空気の温度及び湿度の少なくとも１つも設定する。例えば、空調動作設定部（63）は、夏季や雨天時には、除湿により温度を低くした空気を送ると設定し、冬季には、暖房により温度を高くした空気を送ると設定する。
【００７４】
特に、空調動作設定部（63）は、複数の洗濯物（12a〜12d）の乾燥が完了する時刻を合わせるべく、個々の洗濯物（12a〜12d）に送る風量及び風向の少なくとも１つと温度及び湿度の少なくとも１つとを決定してもよい。
【００７５】
ところで、本実施形態の情報端末（80）は、後述するように、洗濯物（12a〜12d）の乾燥に関する情報のユーザによる入力を受け付けることができるように構成されている。入力される当該情報としては、洗濯物（12a〜12d）の乾燥の開始予定時刻、洗濯物（12a〜12d）の乾燥の終了希望時刻、洗濯物（12a〜12d）の素材等が挙げられる。
【００７６】
ユーザにより、洗濯物（12a〜12d）の乾燥の開始予定時刻が情報端末（80）を介して入力されている場合には、空調動作設定部（63）は、当該開始予定時刻よりも前に空気調和機（20）を例えば暖房運転にて運転させる設定を行う。これは、洗濯物（12a〜12d）の乾燥動作が実際に開始される前に、対象空間（RM）を予め暖めておくことで、洗濯物（12a〜12d）の乾燥に要する時間を短縮させるために行われる。それ故、空調動作設定部（63）は、開始予定時刻よりも前の運転に関する設定として、暖房運転にて運転させる設定の他、例えば風量を「大」と設定し、暖かい空気を対象空間（RM）全体に循環させるような風向に設定してもよい。やがて現時刻が開始予定時刻に至った場合、空調動作設定部（63）は、上記テーブルを用いて風量及び風向の少なくとも１つ等を設定してもよい。
【００７７】
ユーザにより、洗濯物（12a〜12d）の乾燥の終了希望時刻が情報端末（80）を介して入力されている場合には、全ての洗濯物（12a〜12d）の乾燥が当該希望時刻に終了するようにするべく、空調動作設定部（63）は、当該終了希望時刻に応じて風量及び風向の少なくとも１つと温度及び湿度の少なくとも１つとを設定する。但し、洗濯物（12a〜12d）の素材によって乾燥速度が異なることも予想される。そこで、空調動作設定部（63）は、初めは風量及び風向の少なくとも１つを上記テーブルにて一旦決定した後、乾燥動作においてセンサ（40a〜40d）から時々刻々と送られてくる各種検知情報（具体的には乾燥指標）から実際の乾燥速度を算出し、算出した実際の乾燥速度に応じて風量及び風向の少なくとも１つと温度及び湿度の少なくとも１つとを適宜調整することが好ましい。
【００７８】
なお、洗濯物（12a〜12d）の素材は、実際の乾燥速度から把握することに代えて、ユーザにより情報端末（80）を介して入力されてもよい。
【００７９】
また、空調動作設定部（63）は、更に空気調和機（20）における生体検知部（24）の検知結果に基づいて、風量及び風向の少なくとも１つと温度及び湿度の少なくとも１つとを設定してもよい。例えば、対象空間（RM）のうち、人や動物等の生体が居る位置には、当該生体にとって快適となる空気が送られるように風量等を設定し、一方で洗濯物（12a〜12d）に対しては、洗濯物（12a〜12d）を乾燥させるような風量等を設定することが挙げられる。
【００８０】
−データ解析部−
データ解析部（64）は、記憶部（61）に記憶された各種情報の解析処理を行う。
【００８１】
データ解析部（64）によって解析された結果の一例を、図６に表している。図６は、個々の洗濯物（12a〜12d）の乾燥が完了するのに要した時間を「乾燥完了所要時間」として横軸に採り、各乾燥完了所要時間にて乾燥が完了したことがこれまでに何回あったかを「回数」として縦軸に採ったグラフである。「乾燥完了所要時間」は、記憶部（61）に格納された図５の各種情報を用いて求められてもよいし、上記乾燥度合判定部（62）によって判定された乾燥度合いを用いて求められても良い。図６のグラフは、季節や天候毎に分けて求められる。このような解析結果は、記憶部（61）に記憶される。
【００８２】
より詳細には、データ解析部（64）は、複数の乾燥完了所要時間を、対象空間（RM）内の環境状況（対象空間（RM）内の温度及び湿度）、地域、天候及び季節毎に分類及び集計し、集計された複数の乾燥完了所要時間から図６のグラフを作成する。図６のグラフを季節毎等にて作成するのは、例えば湿度が比較的高い梅雨の時期であれば夏季よりも乾燥完了所要時間が長くなるように、乾燥完了所要時間は、対象空間（RM）の季節等に影響するためである。
【００８３】
そして、このようにして作成された図６のグラフによると、洗濯物（12a〜12d）の乾燥完了所要時間には、季節等のみならず、洗濯物（12a〜12d）の厚さ及び素材に応じても、ある程度の傾向が浮かび上がることとなる。即ち、記憶部（61）に格納された各種情報の解析により、洗濯物（12a〜12d）毎の乾燥に要する時間が違うことが分かるようになる。従って、空調動作設定部（63）は、例えば複数の洗濯物（12a〜12d）の乾燥を同時に完了させる際や終了希望時刻が予め入力されている際の風量の設定等に、図６に示したようなデータ解析部（64）の解析結果を用いることで、より適切した風量等を設定することができる。
【００８４】
また、図６以外にも、データ解析部（64）は、記憶部（61）に記憶された各種情報の解析データとして、対象空間（RM）内での洗濯物（12a〜12d）の各位置に対する風量の強さのグラフや、対象空間（RM）内での洗濯物（12a〜12d）の温度推移に対する風量の強さのグラフ等を得ることもできる。これらの解析データは、後述する乾燥位置推定部（65）及び完了時間推定部（66）の推定処理にて利用される。
【００８５】
更に、図６以外にも、データ解析部（64）は、図５の各種データから図４のような各乾燥指標の時間的推移のグラフを、解析データとして求める。当該グラフに関しても、季節等毎に分類して算出されることが好ましい。
【００８６】
なお、記憶部（61）に記憶される各種情報には、センサ（40a〜40d）の洗濯物（12a〜12d）への貼着位置が更に含まれていても良い。この場合、情報端末（80）は、センサ（40a〜40d）の洗濯物（12a〜12d）への貼着位置の入力をユーザから受け付けることが可能に構成されている。１つの洗濯物（12a〜12d）においても、乾燥しにくい箇所（ズボンのポケット部分、ベルト装着部分等）にセンサ（40a〜40d）が貼着されていれば、乾き易い箇所にセンサ（40a〜40d）が貼着されている場合に比して、乾燥完了所要時間は長くなる。それ故、データ解析部（64）は、季節等に加え、更に洗濯物（12a〜12d）におけるセンサ（40a〜40d）の貼着位置によっても各種情報を分類し、分類した各種情報を解析処理することがより好ましい。
【００８７】
−乾燥位置推定部−
乾燥位置推定部（65）は、これまでのセンサ（40a〜40d）の各種検知結果（即ち、過去の各種検知結果）に基づくデータ解析部（64）の解析データを用いて、対象空間（RM）のうち、洗濯物（12a〜12d）が乾燥するのに要する時間が所定時間よりも短くなる位置（以下、理想の乾燥位置と言う）を推定する。
【００８８】
本実施形態では、各センサ（40a〜40d）の位置情報は、上述したように三次元の位置情報となっている。そこで、乾燥位置推定部（65）は、対象空間（RM）内での洗濯物（12a〜12d）の各位置に対する風量の強さのグラフ、対象空間（RM）内での洗濯物（12a〜12d）の温度推移に対する風量の強さのグラフ、及び図６の乾燥完了所要時間の統計グラフを総合的に用いて、洗濯物（12a〜12d）が比較的早く乾燥完了する位置である対象空間（RM）内での理想の乾燥位置を推定することができる。
【００８９】
同じ対象空間（RM）内とは云えども、空気調和機（20）が設置された位置によっては、空気の到達のしやすさ、温度推移が異なり、これらは乾燥完了所要時間に影響を及ぼす。空気の到達しやすさ及び温度推移は、平面上のみならず、高さ方向によっても異なる。それ故、乾燥位置推定部（65）は、あえて三次元の位置情報を用いると共に風量の強さ等を用いて、理想の乾燥位置を推定する。
【００９０】
特に、本実施形態に係る乾燥完了所要時間は、上述したように、季節等毎に分類され解析されたものである。それ故、乾燥位置推定部（65）は、季節等毎に、理想の乾燥位置を推定することが好ましい。
【００９１】
乾燥位置推定部（65）の推定結果は、記憶部（61）に逐次記憶されるとともに、情報端末（80）に送られる。
【００９２】
−完了時間推定部−
完了時間推定部（66）は、主にこれまでのセンサ（40a〜40d）の各種検知結果に基づくデータ解析部（64）の解析データを用いて、洗濯物（12a〜12d）の乾燥が完了する時間を推定する。
【００９３】
完了時間推定部（66）が乾燥の完了時間を推定する方法について例示する。先ず、センサ（40a〜40d）が貼着された洗濯物（12a〜12d）が対象空間（RM）内に干されている状態にて、空気調和機（20）は、洗濯物（12a〜12d）を乾燥させるための空調運転である乾燥動作を開始させる。完了時間推定部（66）は、当該センサ（40a〜40d）から送られてくる各種検知結果から、実際の洗濯物（12a〜12d）の乾燥指標の推移の仕方をしばらくの間モニターする。モニターし始めてから一定時間経過した際、完了時間推定部（66）は、モニターしている乾燥指標の推移の仕方とデータ解析部（64）による解析データ（例えば、図４のような各乾燥指標の時間的推移のグラフ）とを比較して、当該解析データの中から今回の乾燥指標の推移の仕方に近いデータを抽出する。そして、完了時間推定部（66）は、抽出したデータと図６の乾燥完了所要時間とに基づいて、現在干している洗濯物（12a〜12d）の乾燥が完了する時間を推定する。
【００９４】
更に、完了時間推定部（66）は、対象空間（RM）内での洗濯物（12a〜12d）の位置情報、現在の天候、現在の季節、空気調和機（20）から送られる空気の風量等に基づき、乾燥が完了する時間を、より精度良く推定しても良い。
【００９５】
完了時間推定部（66）の推定結果は、記憶部（61）に逐次記憶されるとともに、情報端末（80）に送られる。
【００９６】
−通信部−
通信部（67）は、空気調和機（20）、各センサ（40a〜40d）及び情報端末（80）と通信を行うための通信インターフェースである。
【００９７】
通信部（67）が空気調和機（20）から受信する情報としては、空気調和機ＩＤ、各種検知部（22,23,24）の検知結果等が挙げられる。通信部（67）が空気調和機（20）に送信する情報としては、洗濯物（12a〜12d）の乾燥動作の実行指示及び実行終了指示、当該運転における各種設定等が挙げられる。
【００９８】
通信部（67）が各センサ（40a〜40d）から受信する情報としては、センサＩＤ、各センサ（40a〜40d）の各種検知結果等が挙げられる。通信部（67）が各センサ（40a〜40d）に送信する情報としては、応答要求等が挙げられる。
【００９９】
通信部（67）が情報端末（80）から受信する情報としては、情報端末（80）またはユーザを識別するための情報（情報端末ＩＤ、ユーザＩＤ等）、情報端末（80）を介してユーザにより入力された洗濯物（12a〜12d）の乾燥動作に関する各種情報等が挙げられる。通信部（67）が情報端末（80）に送信する情報としては、乾燥度合判定部（62）により判定された乾燥度合い及び菌の繁殖状況、乾燥位置推定部（65）により推定された理想の乾燥位置、完了時間推定部（66）により推定された乾燥完了時間等が挙げられる。
【０１００】
＜情報端末＞
情報端末（80）は、パーソナルコンピュータ、タブレット、スマートフォン等であって、ネットワークを介してサーバ（60）と通信可能に接続されている。
【０１０１】
図２に示すように、情報端末（80）は、タッチパネル（81）、スピーカー（82）、通信部（83）を有する。図示していないが、情報端末（80）は、更に、ＣＰＵ等によって構成された制御部と、ハードディスク及びフラッシュメモリ等からなる記憶部とを有する。記憶部には、空調利用乾燥アプリケーションソフトウェアが動作するためのプログラムが記憶されている。
【０１０２】
上記空調利用乾燥アプリケーションソフトウェアは、対象空間（RM）内に干された洗濯物（12a〜12d）を空気調和機（20）を利用して乾燥させる際に、ユーザによって起動され用いられる。当該アプリケーションソフトウェアに関する各種画面は、タッチパネル（81）上に表示される。
【０１０３】
図７〜図９は、上記アプリケーションソフトウェアが起動された情報端末（80）のタッチパネル（81）上に表示される画面を例示している。具体的に、図７は、サーバ（60）の乾燥位置推定部（65）によって推定された理想の乾燥位置がタッチパネル（81）に表示された画面例を表している。図８は、サーバ（60）の完了時間推定部（66）によって推定された乾燥完了時間がタッチパネル（81）に表示された画面例を表している。図９は、サーバ（60）の乾燥度合判定部（62）によって判定された洗濯物（12a〜12d）の乾燥度合いがタッチパネル（81）に表示された画面例を表している。
【０１０４】
なお、図示していないが、タッチパネル（81）には、乾燥度合判定部（62）によって判定された菌の繁殖状況が更に表示されてもよい。菌の繁殖状況が更に表示されることで、ユーザは、対象となる洗濯物（12a〜12d）に対し除菌を施す等の処理を行うことができる。
【０１０５】
また、タッチパネル（81）は、上記アプリケーションソフトウェアが起動された状態において、洗濯物（12a〜12d）の乾燥動作に関するユーザによる各種情報の入力を受け付けることも可能となっている。入力される情報としては、天候情報、季節情報、地域の環境情報、洗濯物（12a〜12d）の素材情報、洗濯物（12a〜12d）の乾燥開始予定時刻、洗濯物（12a〜12d）の乾燥終了希望時刻等が挙げられる。
【０１０６】
スピーカー（82）は、タッチパネル（81）への表示及び入力に連動して音を出力する。スピーカー（82）は、図７〜図９に示した各種情報がタッチパネル（81）に表示するのに連動して音や音声を出力することも可能である。
【０１０７】
通信部（83）は、サーバ（60）と通信を行うための通信インターフェースである。通信部（83）がサーバ（60）から受信する情報としては、洗濯物（12a〜12d）の乾燥度合い及び菌の繁殖状況、推定された理想の乾燥位置、推定された乾燥完了時間等が挙げられる。通信部（83）がサーバ（60）に送信する情報としては、情報端末ＩＤまたはユーザＩＤ、タッチパネル（81）を介してユーザにより入力された洗濯物（12a〜12d）の乾燥動作に関する各種情報等が挙げられる。
【０１０８】
＜動作＞
次に、本実施形態に係る空調システム（10）の動作について説明する。
【０１０９】
初めに、ユーザは、センサ（40a〜40d）を洗濯物（12a〜12d）それぞれに貼着し、当該洗濯物（12a〜12d）を対象空間（RM）内に干す。
【０１１０】
次いで、ユーザは、情報端末（80）のタッチパネル（81）を操作して、空調利用乾燥アプリケーションソフトウェアを起動する（＃１）。空調利用乾燥アプリケーションソフトウェアが起動した情報端末（80）は、その旨をサーバ（60）に送信し、サーバ（60）はこれを受信する（＃２）。
【０１１１】
センサ（40a〜40d）は、自身が貼着されている洗濯物（12a〜12d）の各種情報（湿度、温度、位置、臭気）のセンシングを開始する。センシングされた結果は、各センサ（40a〜40d）からサーバ（60）に送信され（＃３）、サーバ（60）はこれを受信する（＃４）。センシングされた結果は、サーバ（60）の記憶部（61）に記憶される。
【０１１２】
サーバ（60）の乾燥位置推定部（65）は、データ解析部（64）による解析結果を用いて、理想の乾燥位置を推定し、サーバ（60）の乾燥度合判定部（62）は、センサ（40a〜40d）から送られてきた検知結果（具体的には乾燥指標）を用いて、現在の洗濯物（12a〜12d）の乾燥度合いを判定する（＃５）。理想の乾燥位置及び現在の洗濯物（12a〜12d）の乾燥度合いは、記憶部（61）に記憶されるとともに、情報端末（80）に送られる。情報端末（80）は、これらを受信すると、図７及び図９に示すようにタッチパネル（81）に表示する（＃６）。
【０１１３】
なお、理想の乾燥位置の推定動作を行うタイミングは、図１０に限定されない。推定動作は、ユーザから空調利用乾燥アプリケーションソフトウェアを介してユーザにより要求された場合にサーバ（60）によって行われ、情報端末（80）のタッチパネル（81）に表示されもよい。
【０１１４】
また、ユーザは、乾燥動作の開始指示を入力する前に（＃７）、タッチパネル（81）に表示された理想の乾燥位置に応じて、洗濯物（12a〜12d）を干す場所を代えても良い。
【０１１５】
ユーザが、乾燥動作の開始指示を入力すると（＃７）、サーバ（60）はこの旨を受信する（＃８）。サーバ（60）の空調動作設定部（63）は、空気調和機（20）が乾燥動作を行う際の風量等を設定する（＃９）。当該設定は、記憶部（61）に記憶されると共に、サーバ（60）から空気調和機（20）に送られる（＃１０）。空気調和機（20）は、当該設定に基づいて、洗濯物（12a〜12d）を乾燥させるための空調運転を、乾燥動作として開始する（＃１１）。
【０１１６】
なお、図１０では、乾燥動作が手動にて開始される場合を例示しているが、乾燥動作は、自動にて開始されてもよい。この場合、図１０の動作（＃７）及び動作（＃８）の動作は省かれる。
【０１１７】
乾燥動作が開始されて一定時間が経過すると、サーバ（60）の完了時間推定部（66）は、洗濯物（12a〜12d）の乾燥が完了する時間を推定し（＃１２）、推定結果を記憶部（61）に記憶するとともに、情報端末（80）に送信する。情報端末（80）は、当該時間を受信すると、これを図８に示すようにタッチパネル（81）に表示する（＃１３）。
【０１１８】
乾燥動作が行われている間、センサ（40a〜40d）は、洗濯物（12a〜12d）の各種検知結果（湿度、温度、位置、臭気）を逐次センシングし、その結果をサーバ（60）に送信する（＃１４）。
【０１１９】
サーバ（60）は、センサ（40a〜40d）によってセンシングされた洗濯物（12a〜12d）の各種検知結果を逐次受信すると、受信した最新の各種情報を用いて、改めて乾燥度合いを判定する（＃１５）。判定された最新の乾燥度合いは、情報端末（80）に送られ、情報端末（80）は当該最新の乾燥度合いをタッチパネル（81）に表示する（＃１６）。なお、センシングされた各種検知結果及び最新の乾燥度合いは、サーバ（60）の記憶部（61）に記憶される。
【０１２０】
洗濯物（12a〜12d）が完全に乾くまで、動作（＃１４）から動作（＃１６）が繰り返される。
【０１２１】
洗濯物（12a〜12d）が完全に乾いたとサーバ（60）が判断した場合（＃１７）、その旨が空気調和機（20）及び情報端末（80）に送られる。空気調和機（20）は、乾燥動作を終了し（＃１８）、情報端末（80）のタッチパネル（81）及びスピーカー（82）は、乾燥動作が終了したことを表すメッセージを表示したり音を出力したりする（＃１９）。
【０１２２】
＜効果＞
本実施形態では、被乾燥物である洗濯物（12a〜12d）には、該洗濯物（12a〜12d）の乾燥度合いを表す乾燥指標を検知するためのセンサ（40a〜40d）が貼着される。空気調和機（20）から対象空間（RM）へと送られる空気の風向等は、センサ（40a〜40d）が検知した乾燥指標に基づいて制御される。このように、センサ（40a〜40d）は、乾燥させるべき洗濯物（12a〜12d）自体に貼着されるため、制御部（25）及び空調動作設定部（63）は、その時々の洗濯物（12a〜12d）そのものの乾燥度合いを正確に把握し、把握した乾燥度合いに基づいて洗濯物（12a〜12d）を確実に乾燥させることができる。
【０１２３】
本実施形態に係るセンサ（40a〜40ｄ）の粘着層（42）には、洗濯物（12a〜12d）からセンサ（40a〜40d）を剥離及び洗濯物（12a〜12d）へのセンサ（40a〜40d）の貼着を繰り返すことが可能な粘着剤が塗布されている。これにより、乾燥が完了した洗濯物（12a〜12d）からセンサ（40a〜40d）を剥がし、剥がしたセンサ（40a〜40d）を、乾燥が必要となった別の洗濯物（12a〜12d）に貼り付けることができる。従って、センサ（40a〜40d）を何度でも有効活用することができる。
【０１２４】
本実施形態に係るセンサ（40a〜40d）は、洗濯物（12a〜12d）付近の湿度を検知する湿度検知部（43）と、洗濯物（12a〜12d）付近の温度を検知する温度検知部（44）と、対象空間（RM）における洗濯物（12a〜12d）の位置を検知する位置検知部（46）とを有する。このうち、湿度検知部（43）及び温度検知部（44）の各検知結果は、乾燥指標に相当する。これにより、洗濯物（12a〜12d）の乾燥度合いは容易に把握されるようになる。特に、本実施形態では、温度及び湿度の一方ではなく、両方が乾燥指標として検知される。それ故、洗濯物（12a〜12d）の乾燥度合いは、温度及び湿度の一方が乾燥指標として検知される場合に比してより正確に把握される。また、対象空間（RM）における洗濯物（12a〜12d）の位置が更に検知されることにより、空気調和機（20）は、洗濯物（12a〜12d）めがけて空気を送ることができる。
【０１２５】
本実施形態では、センサ（40a〜40d）の各種検知結果に基づいて、対象空間（RM）のうち、洗濯物（12a〜12d）が乾燥するのに要する時間が所定時間よりも短くなる位置が推定され、当該推定結果は、理想の乾燥位置として情報端末（80）に報知される。これにより、空調システム（10）を利用するユーザは、対象空間（RM）のうち、洗濯物（12a〜12d）の乾燥に適している位置を把握することができ、その位置に洗濯物（12a〜12d）を配置させることができる。
【０１２６】
本実施形態では、センサ（40a〜40d）の各種検知結果に基づいて、洗濯物（12a〜12d）の乾燥が完了する時間が推定され、当該推定結果は、情報端末（80）に報知される。これにより、空調システム（10）を利用するユーザは、洗濯物（12a〜12d）の乾燥が完了する時間を乾燥前に把握することができる。
【０１２７】
本実施形態では、洗濯物（12a〜12d）の乾燥度合いが情報端末（80）に報知される。これにより、空調システム（10）を利用するユーザは、洗濯物（12a〜12d）がどの程度乾燥している状態にあるのかを、リアルタイムで把握することができる。
【０１２８】
≪その他の実施形態≫
上記実施形態については、以下のような構成としてもよい。
【０１２９】
乾燥指標は、洗濯物（12a〜12d）の乾燥度合いを表す情報であれば良いため、温度、湿度及び加速度に限定されない。例えば、乾燥指標は、温度及び湿度の少なくとも１つであってもよい。
【０１３０】
センサ（40a〜40d）に係る加速度検知部（45）、位置検知部（46）、臭気検知部（47）は、必須ではない。
【０１３１】
センサ（40a〜40d）は、洗濯物（12a〜12d）に直接貼着される代わりに、例えばハンガーや洗濯バサミ等の洗濯物（12a〜12d）に接触する部材に貼着されてもよい。
【０１３２】
センサ（40a〜40d）の粘着層（42）は、剥離及び貼着を繰り返すことが可能な構成に代えて、一旦貼着させた後は剥離できない粘着剤によって構成されていてもよい。
【０１３３】
センサ（40a〜40d）は、厚手の洗濯物（12a〜12d）用と薄手の洗濯物（12a〜12d）用とに分類されていてもよい。この場合、サーバ（60）は、例えば乾燥が完了する時間の推定の際、厚手の洗濯物（12a〜12d）用のセンサ（40a〜40d）の検知結果を利用した時間の推定処理と、薄手の洗濯物（12a〜12d）用のセンサ（40a〜40d）の検知結果を利用した時間の推定処理とを、分けて行うことができる。これにより、より精度の良い推定処理が行われる。
【０１３４】
１つの洗濯物（12a〜12d）に対し１つのセンサ（40a〜40d）が貼着されるのではなく、１つの洗濯物（12a〜12d）に対し複数個のセンサ（40a〜40d）が貼着されてもよい。これにより、１つの洗濯物（12a〜12d）においても、乾き易い箇所と乾きにくい箇所との把握が可能となる。特にこの場合、完了時間推定部（66）は、乾き易い箇所と乾きにくい箇所との把握結果を用いれば、洗濯物（12a〜12d）の乾燥が完了する時間を、より精度良く推定することが可能となる。
【０１３５】
上記では、サーバ（60）の乾燥位置推定部（65）が、過去のデータを用いて理想の乾燥位置を推定すると説明した。しかし、理想の乾燥位置は、過去のデータから推定される代わりに、センサ（40a〜40d）が１つずつ貼着された複数の洗濯物（12a〜12d）を対象空間（RM）内の様々な場所に干し、一斉に乾燥を開始させることで実験的に把握されてもよい。
【０１３６】
図１０において、サーバ（60）の空調動作設定部（63）は、乾燥動作の途中における洗濯物（12a〜12d）の乾燥度合いに応じて、空気調和機（20）から送られる空気の風向や温度等の設定を変更してもよい。これにより、空調システム（10）は、洗濯物（12a〜12d）の乾燥を完了させる時間を調整したり、乾燥完了を希望する時刻にあわせて洗濯物（12a〜12d）の乾燥を完了させたりすることができる。
【０１３７】
図１０において、乾燥動作の途中にて情報端末（80）のタッチパネル（81）に表示された乾燥度合いの値によっては、ユーザは、空気調和機（20）の自動制御を手動制御に切り換えても良い。
【０１３８】
また、空気調和機（20）に代えて、空気の調和は行わずに空気を送風するような装置が用いられても良い。
【０１３９】
情報端末（80）は、タッチパネル（81）に代えて、ディスプレイと入力受付部とが別々に設けられていてもよい。
【０１４０】
上記にてタッチパネル（81）に表示されるとした理想の乾燥位置、乾燥動作が完了すると予測される時間、洗濯物（12a〜12d）の乾燥度合い、及び菌の繁殖状況は、スピーカー（82）を介して音のみで出力されてもよい。
【０１４１】
情報端末（80）に表示される洗濯物（12a〜12d）の乾燥度合い及び乾燥完了時間は、洗濯物（12a〜12d）１枚毎に対応して表示されてもよい。これにより、ユーザは、乾燥が完了した洗濯物（12a〜12d）を逐次取り込むことが可能となる。
【０１４２】
理想の乾燥位置の推定動作及び当該推定結果の情報端末（80）への報知動作は、必須ではない。
【０１４３】
乾燥が完了する時間の推定動作及び当該推定結果の情報端末（80）への報知動作は、必須ではない。
【０１４４】
乾燥度合いの情報端末（80）への報知動作は、必須ではない。
【０１４５】
被乾燥物は、洗濯物（12a〜12d）に限定されずとも良く、乾燥が必要なものであればどのような物であっても良い。洗濯物（12a〜12d）以外の被乾燥物としては、食料及び家の塗料等が挙げられる。
【０１４６】
空調システム（10）に係る空気調和機（20）、センサ（40a〜40d）、サーバ（60）、情報端末（80）の台数は、図１に限定されない。
【０１４７】
サーバ（60）が有する各機能部は、空気調和機（20）、センサ（40a〜40d）、情報端末（80）それぞれが有していても良い。また、サーバ（60）が有する機能部毎にサーバが分けられていても良い。センサ（40a〜40d）は、複数の機能部を有する一体型のセンサが用いられる代わりに、該センサ（40a〜40d）が有する機能部毎に別のセンサが用いられてもよい。
【０１４８】
センサ（40a〜40d）が有する機能部のうち、位置検知部（46）は、空気調和機（20）側に設けられており、洗濯物（12a〜12d）の各位置を空気調和機（20）側から検知するように構成されていても良い。
【産業上の利用可能性】
【０１４９】
以上説明したように、本発明は、その時々の被乾燥物そのものの乾燥度合いを正確に把握し、把握した乾燥度合いに基づいて被乾燥物を確実に乾燥させることができる送風システムとして有用である。
【符号の説明】
【０１５０】
10  空調システム（送風システム）
20  空気調和機
25  制御部（制御部）
40a,40b,40c,40d  センサ（検知部）
42  粘着層
60  サーバ
63  空調動作設定部（制御部）
65  乾燥位置推定部（位置推定部）
66  乾燥時間推定部（時間推定部）
80  情報端末（位置報知部、時間報知部、乾燥度合報知部）
【図１】
2017104384.tif 000003
【図２】
2017104384.tif 000004
【図３】
2017104384.tif 000005
【図４】
2017104384.tif 000006
【図５】
2017104384.tif 000007
【図６】
2017104384.tif 000008
【図７】
2017104384.tif 000009
【図８】
2017104384.tif 000010
【図９】
2017104384.tif 000011
【図１０】
2017104384.tif 000012